(57)【要約】【課題】  例えば、光沢紙への無彩色画像の記録時に、白スジ状のムラ（バンディング）の発生及び粒状感が抑制され、光学濃度が高く、且つ、色味がかった無彩色等となることのないインクジェット記録用水性インクセットを提供する。【解決手段】  イエロー染料と、水と、を含む水性イエローインクと、マゼンタ染料と、水と、を含む水性マゼンタインクと、シアン染料と、水と、を含む水性シアンインクと、ブラック染料と、水と、を含む水性ブラックインクと、を含むインクジェット記録用水性インクセットであって、前記水性イエローインクの色相角が、４５°〜６５°であり、前記水性マゼンタインクの色相角が、３４０°〜５°であり、前記水性シアンインクの色相角が、２００°〜２３０°であり、前記水性イエローインク全量、前記水性マゼンタインク全量及び前記水性シアンインク全量における前記イエロー染料、前記マゼンタ染料及び前記シアン染料の配合量が、それぞれ、２重量％〜３重量％であり、前記水性ブラックインク全量における前記ブラック染料の配合量が、６重量％〜７．５重量％であることを特徴とする。【選択図】  なし【特許請求の範囲】
【請求項１】
イエロー染料と、水と、を含む水性イエローインクと、
マゼンタ染料と、水と、を含む水性マゼンタインクと、
シアン染料と、水と、を含む水性シアンインクと、
ブラック染料と、水と、を含む水性ブラックインクと、
を含むインクジェット記録用水性インクセットであって、
前記水性イエローインクの色相角が、４５°〜６５°であり、
前記水性マゼンタインクの色相角が、３４０°〜５°であり、
前記水性シアンインクの色相角が、２００°〜２３０°であり、
前記水性イエローインク全量における前記イエロー染料の配合量が、２重量％〜３重量％であり、
前記水性マゼンタインク全量における前記マゼンタ染料の配合量が、２重量％〜３重量％であり、
前記水性シアンインク全量における前記シアン染料の配合量が、２重量％〜３重量％であり、
前記水性ブラックインク全量における前記ブラック染料の配合量が、６重量％〜７．５重量％であることを特徴とするインクジェット記録用水性インクセット。
【請求項２】
前記イエロー染料が、Ｃ．Ｉ．ダイレクトイエロー８６及びＣ．Ｉ．ダイレクトイエロー１３２の少なくとも一方を含み、
前記マゼンタ染料が、式（１）で表される染料及びＣ．Ｉ．アシッドレッド２８９の少なくとも一方を含み、
前記シアン染料が、Ｃ．Ｉ．ダイレクトブルー１９９及びＣ．Ｉ．ダイレクトブルー８６の少なくとも一方を含む、
請求項１記載のインクジェット記録用水性インクセット。
【化１】
2019065182.tif 000013
式（１）において、
ｎは、０、１又は２であり、
Ｒ１、Ｒ２及びＲ３は、それぞれ、置換又は無置換のアルキル基、置換又は無置換のアルコキシ基、ハロゲン原子、水素原子、ヒドロキシル基、置換又は無置換のカルバモイル基、置換又は無置換のスルファモイル基、置換又は無置換のアミノ基、ニトロ基、スルホン酸エステル基、置換又は無置換のアルキルスルホニル基、置換又は無置換のアリールスルホニル基、カルボキシ基、カルボン酸エステル基であり、Ｒ１、Ｒ２及びＲ３は互いに同一でも異なっていてもよく、
Ｒ４、Ｒ５及びＲ６は、それぞれ、水素原子、置換又は無置換のアルキル基、置換又は無置換のアルケニル基、置換又は無置換のアリール基、置換又は無置換のアラルキル基、置換又は無置換の脂環基、置換又は無置換のヘテロ環基であり、Ｒ４、Ｒ５及びＲ６は互いに同一でも異なっていてもよく、
Ｒ１〜Ｒ６のいずれかが酸基を有する場合、その一部又は全部は、塩型のものであってもよく、
３つのＭは、それぞれ、Ｈ、Ｌｉ、Ｎａ、Ｋ、ＮＨ４、ＮＨ３ＣＨ３、Ｎ（ＣＨ３）４、ＮＨ３Ｃ２Ｈ５、Ｎ（Ｃ２Ｈ５）４、ＮＨ２（Ｃ２Ｈ４ＯＨ）２、ＮＨ３（Ｃ２Ｈ４ＮＨ）５、Ｃ２Ｈ４ＮＨ２のいずれかであり、３つのＭは互いに同一でも異なっていてもよい。
【請求項３】
前記水性イエローインクが、Ｃ．Ｉ．ダイレクトイエロー８６及びＣ．Ｉ．ダイレクトイエロー１３２を含む、請求項１又は２記載のインクジェット記録用水性インクセット。
【請求項４】
前記水性イエローインク全量におけるＣ．Ｉ．ダイレクトイエロー８６の配合量（Ｙ８６）と、Ｃ．Ｉ．ダイレクトイエロー１３２の配合量（Ｙ１３２）との重量比が、Ｙ８６：Ｙ１３２＝１：４〜３：２である、請求項３記載のインクジェット記録用水性インクセット。
【請求項５】
インクセット収容部と、インク吐出手段と、制御手段と、を含むインクジェット記録装置であって、
前記インクセット収容部に、請求項１〜４のいずれか一項に記載のインクジェット記録用水性インクセットが収容され、
前記水性インクセットを構成する水性インクが、前記インク吐出手段から吐出され、
前記制御手段は、無彩色の記録時、下記（１）、（２）及び（３）の条件で、前記インク吐出手段による吐出を制御することを特徴とするインクジェット記録装置。
条件（１）：記録する無彩色の条件を、ＲＧＢ値におけるＲ、Ｇ及びＢの平均値が第１所定値以上とする場合、前記水性イエローインク、前記水性マゼンタインク及び前記水性シアンインクを吐出する。
条件（２）：記録する無彩色の条件を、ＲＧＢ値におけるＲ、Ｇ及びＢの平均値が第２所定値以上第１所定値未満とする場合、前記水性マゼンタインク、前記水性シアンインク及び前記水性ブラックインクを吐出する。
条件（３）：記録する無彩色の条件を、ＲＧＢ値におけるＲ、Ｇ及びＢの平均値が第２所定値未満とする場合、前記水性ブラックインクを吐出する。
【発明の詳細な説明】
【技術分野】
【０００１】
本発明は、インクジェット記録用水性インクセット及びインクジェット記録装置に関する。
【背景技術】
【０００２】
インクジェット記録用水性インクセットとして、イエロー染料を含む水性イエローインク、マゼンタ染料を含む水性マゼンタインク、シアン染料を含む水性シアンインク、及びブラック染料を含む水性ブラックインクの４色の水性染料インクを含む水性インクセットが各種提案されている（例えば、特許文献１参照）。
【先行技術文献】
【特許文献】
【０００３】
【特許文献１】特開２００４−３３１６９９号公報
【発明の概要】
【発明が解決しようとする課題】
【０００４】
しかし、前述の４色の水性染料インクを含む水性インクセットを用いて、例えば、黒色（ブラック）等の無彩色の画像を光沢紙に記録すると、記録画像に白スジ状のムラ（バンディング）が生じることがある。また、前記水性インクセットには、光沢紙への無彩色画像の記録時に、粒状感が抑制され、光学濃度が高く、且つ、色味がかった無彩色等とならないことも求められる。
【０００５】
そこで、本発明は、例えば、光沢紙への無彩色画像の記録時に、白スジ状のムラ（バンディング）の発生及び粒状感が抑制され、光学濃度が高く、且つ、色味がかった無彩色等となることのないインクジェット記録用水性インクセットを提供することを目的とする。
【課題を解決するための手段】
【０００６】
前記目的を達成するために、本発明のインクジェット記録用水性インクセットは、
イエロー染料と、水と、を含む水性イエローインクと、
マゼンタ染料と、水と、を含む水性マゼンタインクと、
シアン染料と、水と、を含む水性シアンインクと、
ブラック染料と、水と、を含む水性ブラックインクと、
を含むインクジェット記録用水性インクセットであって、
前記水性イエローインクの色相角が、４５°〜６５°であり、
前記水性マゼンタインクの色相角が、３４０°〜５°であり、
前記水性シアンインクの色相角が、２００°〜２３０°であり、
前記水性イエローインク全量における前記イエロー染料の配合量が、２重量％〜３重量％であり、
前記水性マゼンタインク全量における前記マゼンタ染料の配合量が、２重量％〜３重量％であり、
前記水性シアンインク全量における前記シアン染料の配合量が、２重量％〜３重量％であり、
前記水性ブラックインク全量における前記ブラック染料の配合量が、６重量％〜７．５重量％であることを特徴とする。
【発明の効果】
【０００７】
本発明のインクジェット記録用水性インクセットは、水性イエローインク、水性マゼンタインク及び水性シアンインクの色相角並びにそれらに含まれる染料の配合量と、水性ブラックインクに含まれる染料の配合量とが所定の範囲内にあることで、例えば、光沢紙への無彩色画像の記録時に、白スジ状のムラ（バンディング）の発生及び粒状感が抑制され、光学濃度が高く、且つ、色味がかった無彩色等となることがない。
【図面の簡単な説明】
【０００８】
【図１】図１は、本発明のインクジェット記録装置の一例の構成を示す概略斜視図である。
【発明を実施するための形態】
【０００９】
本発明において、「色相角」とは、例えば、ａ＊、ｂ＊を平面上に表したＬ＊ａ＊ｂ＊表色系色度図での角度を表し、つぎのように定義される。
ａ＊≧０、ｂ＊≧０（第一象限）では、色相角＝ｔａｎ−１（ｂ＊／ａ＊）
ａ＊≦０、ｂ＊≧０（第二象限）では、色相角＝１８０°＋ｔａｎ−１（ｂ＊／ａ＊）
ａ＊≦０、ｂ＊≦０（第三象限）では、色相角＝１８０°＋ｔａｎ−１（ｂ＊／ａ＊）
ａ＊≧０、ｂ＊≦０（第四象限）では、色相角＝３６０°＋ｔａｎ−１（ｂ＊／ａ＊）
【００１０】
本発明において、水性イエローインク、水性マゼンタインク及び水性シアンインクの色相角は、例えば、後述の実施例に記載の方法により求められる。
【００１１】
本発明において、「無彩色」とは、例えば、白色（ホワイト）を除く無彩色であって、黒色（ブラック）及び灰色（グレー）を含む。
【００１２】
本発明において、「光沢紙」とは、例えば、記録面に、シリカ粒子又はアルミナ粒子等を用いて形成した少なくとも一層以上の塗工層を有する記録用紙のことをいう。前記光沢紙としては、例えば、ブラザー工業（株）製の写真光沢紙ＢＰ６１Ｇ及びＢＰ７１Ｇ；富士フイルム（株）製のインクジェットペーパー画彩仕上げＰｒｏ；コダック（株）製の最高級光沢紙ＰＷＲＡ４−２０；等があげられる。
【００１３】
本発明のインクジェット記録用水性インクセット（以下、「インクセット」又は「水性インクセット」と言うことがある。）について説明する。本発明の水性インクセットは、水性イエローインクと、水性マゼンタインクと、水性シアンインクと、水性ブラックインクと、を含む。
【００１４】
（水性イエローインク）
まず、前記水性イエローインクについて説明する。前記水性イエローインクは、イエロー染料と、水と、を含み、色相角が、４５°〜６５°であり、前記水性イエローインク全量における前記イエロー染料の配合量が、２重量％〜３重量％であることが特徴であり、その他の構成は何ら制限されない。
【００１５】
前記イエロー染料としては、特に限定されず、例えば、Ｃ．Ｉ．ダイレクトイエロー１２、２３、２４、２６、８６、９８、１３２、１４２及び１７３；Ｃ．Ｉ．アシッドイエロー１１、１７、２３、２５、２９、４２、６１及び７１；等があげられる。これらの中でも、Ｃ．Ｉ．ダイレクトイエロー８６、Ｃ．Ｉ．ダイレクトイエロー１３２が好ましい。前記イエロー染料は、１種類を単独で用いてもよいし、２種類以上を併用してもよい。
【００１６】
前記水性イエローインクは、例えば、前記イエロー染料として、Ｃ．Ｉ．ダイレクトイエロー８６及びＣ．Ｉ．ダイレクトイエロー１３２を含んでもよい。この場合において、前記水性イエローインク全量におけるＣ．Ｉ．ダイレクトイエロー８６の配合量（Ｙ８６）と、Ｃ．Ｉ．ダイレクトイエロー１３２の配合量（Ｙ１３２）の重量比は、例えば、Ｙ８６：Ｙ１３２＝１：９〜５：５、１：４〜３：２である。
【００１７】
前述のとおり、前記水性イエローインク全量における前記イエロー染料の配合量は、２重量％〜３重量％である。
【００１８】
前記水は、イオン交換水又は純水であることが好ましい。前記水性イエローインクにおける前記水の配合量は、例えば、他の成分の残部としてもよい。
【００１９】
前記水性イエローインクは、さらに、水溶性有機溶剤を含んでもよい。前記水溶性有機溶剤としては、例えば、インクジェットヘッドのノズル先端部における水性イエローインクの乾燥を防止する湿潤剤及び記録媒体上での乾燥速度を調整する浸透剤があげられる。
【００２０】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール等のポリエーテル；アルキレングリコール、グリセリン、トリメチロールプロパン、トリメチロールエタン等の多価アルコール；２−ピロリドン；Ｎ−メチル−２−ピロリドン；１，３−ジメチル−２−イミダゾリジノン；等があげられる。前記ポリアルキレングリコールは、例えば、ポリエチレングリコール、ポリプロピレングリコール等があげられる。前記アルキレングリコールは、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの湿潤剤は、１種類を単独で用いてもよいし、２種類以上を併用してもよい。これらの中で、アルキレングリコール、グリセリン等の多価アルコールが好ましい。
【００２１】
前記水性イエローインク全量における前記湿潤剤の配合量は、例えば、０重量％〜９５重量％、５重量％〜８０重量％、５重量％〜５０重量％である。
【００２２】
前記浸透剤は、例えば、グリコールエーテルがあげられる。前記グリコールエーテルは、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテル及びトリプロピレングリコール−ｎ−ブチルエーテル等があげられる。前記浸透剤は、１種類を単独で用いてもよいし、２種類以上を併用してもよい。
【００２３】
前記水性イエローインク全量における前記浸透剤の配合量は、例えば、０重量％〜２０重量％、０重量％〜１５重量％、１重量％〜４重量％である。
【００２４】
前記水性イエローインクは、必要に応じて、さらに、従来公知の添加剤を含んでもよい。前記添加剤としては、例えば、界面活性剤、ｐＨ調整剤、粘度調整剤、表面張力調整剤、防黴剤等があげられる。前記粘度調整剤は、例えば、ポリビニルアルコール、セルロース、水溶性樹脂等があげられる。
【００２５】
前記水性イエローインクは、例えば、前記イエロー染料及び水と、必要に応じて他の添加成分とを、従来公知の方法で均一に混合し、フィルタ等で不溶解物を除去することにより調製できる。
【００２６】
前述のとおり、前記水性イエローインクの色相角は、４５°〜６５°である。前記水性イエローインクの色相角は、例えば、前記イエロー染料の種類、混合比等を適宜選択すること等で調整可能である。
【００２７】
（水性マゼンタインク）
つぎに、前記水性マゼンタインクについて説明する。前記水性マゼンタインクは、マゼンタ染料と、水と、を含み、色相角が、３４０°〜５°であり、前記水性マゼンタインク全量における前記マゼンタ染料の配合量が、２重量％〜３重量％であることが特徴であり、その他の構成は何ら制限されない。
【００２８】
前記マゼンタ染料としては、特に限定されず、例えば、Ｃ．Ｉ．ダイレクトレッド１、４、１７、２８、８３及び２２７；Ｃ．Ｉ．アシッドレッド１、６、３２、３７、５１、５２、８０、８５、８７、９２、９４、１１５、１８０、２５６、２８９、３１５及び３１７；Ｃ．Ｉ．ベーシックレッド１、２、９、１２、１３、１４及び３７；等があげられる。また、前記マゼンタ染料としては、式（１）で表される染料もあげられる。これらの中でも、式（１）で表される染料、Ｃ．Ｉ．アシッドレッド２８９が好ましい。前記マゼンタ染料は、１種類を単独で用いてもよいし、２種類以上を併用してもよい。
【化１】
2019065182.tif 000002
式（１）において、
ｎは、０、１又は２であり、
Ｒ１、Ｒ２及びＲ３は、それぞれ、置換又は無置換のアルキル基、置換又は無置換のアルコキシ基、ハロゲン原子、水素原子、ヒドロキシル基、置換又は無置換のカルバモイル基、置換又は無置換のスルファモイル基、置換又は無置換のアミノ基、ニトロ基、スルホン酸エステル基、置換又は無置換のアルキルスルホニル基、置換又は無置換のアリールスルホニル基、カルボキシ基、カルボン酸エステル基であり、Ｒ１、Ｒ２及びＲ３は互いに同一でも異なっていてもよく、
Ｒ４、Ｒ５及びＲ６は、それぞれ、水素原子、置換又は無置換のアルキル基、置換又は無置換のアルケニル基、置換又は無置換のアリール基、置換又は無置換のアラルキル基、置換又は無置換の脂環基、置換又は無置換のヘテロ環基であり、Ｒ４、Ｒ５及びＲ６は互いに同一でも異なっていてもよく、
Ｒ１〜Ｒ６のいずれかが酸基を有する場合、その一部又は全部は、塩型のものであってもよく、
３つのＭは、それぞれ、Ｈ、Ｌｉ、Ｎａ、Ｋ、ＮＨ４、ＮＨ３ＣＨ３、Ｎ（ＣＨ３）４、ＮＨ３Ｃ２Ｈ５、Ｎ（Ｃ２Ｈ５）４、ＮＨ２（Ｃ２Ｈ４ＯＨ）２、ＮＨ３（Ｃ２Ｈ４ＮＨ）５、Ｃ２Ｈ４ＮＨ２のいずれかであり、３つのＭは互いに同一でも異なっていてもよい。
【００２９】
式（１）において、Ｒ１、Ｒ２及びＲ３における置換又は無置換のアルキル基は、好ましくは、総炭素原子数が１〜９のアルキル基である。前記置換又は無置換のアルキル基としては、例えば、メチル基、エチル基、ｎ−プロピル基、イソプロピル基、ｎ−ブチル基、トリフルオロメチル基、ジメチルアミノメチル基等があげられる。前記置換アルキル基の置換基としては、例えば、ヒドロキシル基；メトキシ基、エトキシ基等のアルコキシ基；シアノ基；フッ素原子、塩素原子、臭素原子、ヨウ素原子等のハロゲン原子；カルボン酸塩、スルホン酸塩等のイオン性親水性基等があげられる。
【００３０】
式（１）において、Ｒ１、Ｒ２及びＲ３における置換又は無置換のアルコキシ基は、好ましくは、総炭素原子数が１〜９のアルコキシ基である。前記置換又は無置換のアルコキシ基としては、例えば、メトキシ基、イソプロポキシ基、ｎ−ブトキシ基等があげられる。
【００３１】
式（１）において、Ｒ１、Ｒ２及びＲ３におけるハロゲン原子としては、例えば、フッ素原子、塩素原子、臭素原子、ヨウ素原子等があげられる。
【００３２】
式（１）において、Ｒ１、Ｒ２及びＲ３における置換又は無置換のカルバモイル基としては、例えば、カルバモイル基、Ｎ，Ｎ−ジメチルカルバモイル基、フェニルカルバモイル基等があげられる。
【００３３】
式（１）において、Ｒ１、Ｒ２及びＲ３における置換又は無置換のスルファモイル基としては、例えば、スルファモイル基、Ｎ−メチルスルファモイル基、Ｎ−エチルスルファモイル基、Ｎ−エチル−Ｎ−フェニルスルファモイル基、Ｎ，Ｎ−ジメチルスルファモイル基、ｐ−カルボキシフェニルスルファモイル基等があげられる。
【００３４】
式（１）において、Ｒ１、Ｒ２及びＲ３における置換又は無置換のアミノ基としては、例えば、Ｎ−メチルアミノ基、カルバモイルアミノ基、Ｎ，Ｎ−ジエチルアミノ基、アセチルアミノ基等があげられる。
【００３５】
式（１）において、Ｒ１、Ｒ２及びＲ３におけるスルホン酸エステル基としては、例えば、フェノキシスルホニル基等があげられる。
【００３６】
式（１）において、Ｒ１、Ｒ２及びＲ３における置換又は無置換のアルキルスルホニル基は、好ましくは、総炭素原子数が１〜９のアルキルスルホニル基である。前記置換又は無置換のアルキルスルホニル基としては、例えば、ヒドロキシスルホニル基等があげられる。
【００３７】
式（１）において、Ｒ１、Ｒ２及びＲ３における置換又は無置換のアリールスルホニル基は、好ましくは、総炭素原子数が６〜１５のアリールスルホニル基である。前記置換又は無置換のアリールスルホニル基としては、例えば、ベンジルスルホニル基等があげられる。
【００３８】
式（１）において、Ｒ１、Ｒ２及びＲ３におけるカルボン酸エステル基としては、例えば、メトキシカルボニル基等があげられる。
【００３９】
式（１）において、Ｒ４、Ｒ５及びＲ６における置換又は無置換のアルキル基は、好ましくは、総炭素原子数が１〜１８のアルキル基である。前記置換又は無置換のアルキル基としては、例えば、エチル基、ｎ−ブチル基、ｎ−オクチル基、エチルヘキシル基、ヒドロキシエチル基、カルボキシプロピル基、カルボキシシクロヘキシルメチル基、１−カルボキシ−２−メルカプトエチル基、１−カルボキシ−２−カルバモイル−エチル基、１−イソプロピル−１−カルボキシメチル基、１，２−ジカルボキシプロピル基等があげられる。前記置換アルキル基の置換基としては、例えば、ヒドロキシル基；メトキシ基、エトキシ基等のアルコキシ基；シアノ基；フッ素原子、塩素原子、臭素原子、ヨウ素原子等のハロゲン原子；カルボン酸塩、スルホン酸塩等のイオン性親水性基等があげられる。
【００４０】
式（１）において、Ｒ４、Ｒ５及びＲ６における置換又は無置換のアルケニル基は、好ましくは、総炭素原子数２〜１８のアルケニル基である。前記置換又は無置換のアルケニル基としては、例えば、２−メチル−１−プロペニル基、ビニル基、アリル基等があげられる。
【００４１】
式（１）において、Ｒ４、Ｒ５及びＲ６における置換又は無置換のアリール基としては、例えば、３，４−ジカルボキシフェニル基、４−ブチルフェニル基、４−カルボキシフェニル基等があげられる。前記置換アリール基の置換基としては、例えば、前記置換アルキル基の置換基と同じものがあげられる。
【００４２】
式（１）において、Ｒ４、Ｒ５及びＲ６における置換又は無置換のアラルキル基としては、例えば、ベンジル基、１−カルボキシ−２−フェニル−エチル基、１−カルボキシ−２−ヒドロキシフェニルエチル基、４−カルボキシベンジル基等があげられる。
【００４３】
式（１）において、Ｒ４、Ｒ５及びＲ６における置換又は無置換の脂環基としては、例えば、シクロヘキシル基、４−カルボキシシクロヘキシル基等があげられる。
【００４４】
式（１）において、Ｒ４、Ｒ５及びＲ６における置換又は無置換のヘテロ環基としては、例えば、ピリジル基、チアジアゾリル基、ベンゾチアゾリル基、２，２，６，６−テトラメチルピペリジニル基等があげられる。前記置換ヘテロ環基の置換基としては、例えば、前記置換アルキル基の置換基と同じものがあげられる。
【００４５】
式（１）において、Ｒ４、Ｒ５及びＲ６としては、少なくとも一つが１〜４個のカルボキシ基又はスルファモイル基で置換されているアルキル基、アルケニル基、アリール基、脂環基、アラルキル基若しくはヘテロ環基であってもよい。
【００４６】
式（１）において、Ｒ４及びＲ５は、それぞれ、水素原子又は３置換フェニル基であってもよく、Ｒ４及びＲ５は互いに同一でも異なっていてもよい。ここで、前記３置換フェニル基の三つの置換基は、それぞれ、水素原子、ハロゲン原子、水酸基、総炭素原子数が１〜９の置換又は無置換のアルキル基、総炭素原子数が１〜９の置換又は無置換のアルコキシ基、置換又は無置換のカルバモイル基、置換又は無置換のスルファモイル基、置換又は無置換のアミノ基、ニトロ基、スルホン酸エステル基、カルボン酸エステル基であり、前記三つの置換基は、互いに同一でも異なっていてもよい。
【００４７】
式（１）で表される染料の好ましい態様としては、例えば、式（１）において、Ｒ４、Ｒ５及びＲ６の少なくとも一つが、１〜４個のカルボキシ基又はスルファモイル基で置換されているアルキル基、アルケニル基、アリール基、アラルキル基若しくはシクロへキシル基である態様があげられる。
【００４８】
式（１）で表される染料は、その構造中に、スルホ基及びカルボキシ基又はこれらの塩を合計で６個以下、好ましくは５個以下、特に好ましくは４個以下有することが好ましい。
【００４９】
式（１）で表される染料の好ましい態様としては、例えば、式（１）において、
ｎは、０であり、
Ｒ１は、カルボキシ基、カルバモイル基、トリフルオロメチル基又はスルファモイル基であり、
Ｒ２、Ｒ３及びＲ５は、それぞれ、水素原子であり、
Ｒ４は、カルボキシ基又はスルファモイル基で置換されてもよいフェニル基又はカルボキシアルキル基であり、
Ｒ６は、水素原子又はアルキル基であり、
Ｒ１〜Ｒ６のいずれかが酸基を有する場合、その一部又は全部は、塩型のものであってもよく、
３つのＭは、それぞれ、Ｈ、Ｌｉ、Ｎａ、Ｋ、ＮＨ４、ＮＨ３ＣＨ３、Ｎ（ＣＨ３）４、ＮＨ３Ｃ２Ｈ５、Ｎ（Ｃ２Ｈ５）４、ＮＨ２（Ｃ２Ｈ４ＯＨ）２、ＮＨ３（Ｃ２Ｈ４ＮＨ）５、Ｃ２Ｈ４ＮＨ２のいずれかである態様があげられる。
【００５０】
式（１）で表される染料の好ましい具体例としては、式（１−１）〜（１−５）で表される化合物があげられる。
【００５１】
【化２】
2019065182.tif 000003
【００５２】
式（１−１）で表される化合物は、式（１）において、
ｎは、０であり、
Ｒ１は、アゾ基に結合するフェニル基の２位に位置するカルボキシ基であり、
Ｒ２、Ｒ３及びＲ５は、それぞれ、水素原子であり、
Ｒ４は、２−カルボキシフェニル基であり、
Ｒ６は、水素原子であり、
Ｍは、ＮＨ４である態様である。
【００５３】
【化３】
2019065182.tif 000004
【００５４】
式（１−２）で表される化合物は、式（１）において、
ｎは、０であり、
Ｒ１は、アゾ基に結合するフェニル基の２位に位置するカルバモイル基であり、
Ｒ２、Ｒ３及びＲ５は、それぞれ、水素原子であり、
Ｒ４は、２−カルボキシフェニル基であり、
Ｒ６は、水素原子であり、
Ｍは、Ｎａである態様である。
【００５５】
【化４】
2019065182.tif 000005
【００５６】
式（１−３）で表される化合物は、式（１）において、
ｎは、０であり、
Ｒ１は、アゾ基に結合するフェニル基の３位に位置するスルファモイル基であり、
Ｒ２、Ｒ３及びＲ５は、それぞれ、水素原子であり、
Ｒ４は、２−スルファモイルフェニル基であり、
Ｒ６は、イソプロピル基であり、
Ｍは、ＮＨ３Ｃ２Ｈ５である態様である。
【００５７】
【化５】
2019065182.tif 000006
【００５８】
式（１−４）で表される化合物は、式（１）において、
ｎは、０であり、
Ｒ１は、アゾ基に結合するフェニル基の２位に位置するトリフルオロメチル基であり、
Ｒ２、Ｒ３及びＲ５は、それぞれ、水素原子であり、
Ｒ４は、１−カルボキシ−２−メチルブチル基であり、
Ｒ６は、メチル基であり、
Ｍは、ＮＨ３ＣＨ３である態様である。
【００５９】
【化６】
2019065182.tif 000007
【００６０】
式（１−５）で表される化合物は、式（１）において、
ｎは、０であり、
Ｒ１は、アゾ基に結合するフェニル基の２位に位置するカルボキシ基であり、
Ｒ２、Ｒ３及びＲ５は、それぞれ、水素原子であり、
Ｒ４は、フェニル基であり、
Ｒ５は、水素原子であり、
Ｍは、ＮＨ４である態様である。
【００６１】
前述のとおり、前記水性マゼンタインク全量における前記マゼンタ染料の配合量は、２重量％〜３重量％である。
【００６２】
前記水は、イオン交換水又は純水であることが好ましい。前記水性マゼンタインクにおける前記水の配合量は、例えば、他の成分の残部としてもよい。
【００６３】
前記水性マゼンタインクは、前記水性イエローインクと同様に、さらに、水溶性有機溶剤及び添加剤を含んでもよい。
【００６４】
前記水性マゼンタインクは、例えば、前記マゼンタ染料及び水と、必要に応じて他の添加成分とを、従来公知の方法で均一に混合し、フィルタ等で不溶解物を除去することにより調製できる。
【００６５】
前述のとおり、前記水性マゼンタインクの色相角は、３４０°〜５°である。前記水性マゼンタインクの色相角は、例えば、前記マゼンタ染料の種類、混合比等を適宜選択すること等で調整可能である。
【００６６】
（水性シアンインク）
つぎに、前記水性シアンインクについて説明する。前記水性シアンインクは、シアン染料と、水と、を含み、色相角が、２００°〜２３０°であり、前記水性シアンインク全量における前記シアン染料の配合量が、２重量％〜３重量％であることが特徴であり、その他の構成は何ら制限されない。
【００６７】
前記シアン染料としては、特に限定されず、例えば、Ｃ．Ｉ．ダイレクトブルー６、２２、２５、７１、８６、９０、１０６及び１９９；Ｃ．Ｉ．アシッドブルー９、２２、４０、５９、９０、９３、１０２、１０４、１１７、１２０、１６７、２２９及び２３４；Ｃ．Ｉ．ベーシックブルー１、３、５、７、９、２４、２５、２６、２８及び２９；等があげられる。前記シアン染料は、１種類を単独で用いてもよいし、２種類以上を併用してもよい。
【００６８】
前述のとおり、前記水性シアンインク全量における前記シアン染料の配合量は、２重量％〜３重量％である。
【００６９】
前記水は、イオン交換水又は純水であることが好ましい。前記水性シアンインクにおける前記水の配合量は、例えば、他の成分の残部としてもよい。
【００７０】
前記水性シアンインクは、前記水性イエローインクと同様に、さらに、水溶性有機溶剤及び添加剤を含んでもよい。
【００７１】
前記水性シアンインクは、例えば、前記シアン染料及び水と、必要に応じて他の添加成分とを、従来公知の方法で均一に混合し、フィルタ等で不溶解物を除去することにより調製できる。
【００７２】
前述のとおり、前記水性シアンインクの色相角は、２００°〜２３０°である。前記水性シアンインクの色相角は、例えば、前記シアン染料の種類、混合比等を適宜選択すること等で調整可能である。
【００７３】
（水性ブラックインク）
つぎに、前記水性ブラックインクについて説明する。前記水性ブラックインクは、ブラック染料と、水と、を含み、前記水性ブラックインク全量における前記ブラック染料の配合量が、６重量％〜７．５重量％であることが特徴であり、その他の構成は何ら制限されない。
【００７４】
前記ブラック染料としては、特に限定されず、例えば、Ｃ．Ｉ．ダイレクトブラック１７、１９、３２、５１、７１、１０８、１４６、１５４及び１６８；Ｃ．Ｉ．アシッドブラック２、７、２４、２６、３１、５２、６３、１１２及び１１８；Ｃ．Ｉ．ベーシックブラック２；Ｃ．Ｉ．フードブラック１及び２；等があげられる。前記ブラック染料は、１種類を単独で用いてもよいし、２種類以上を併用してもよい。
【００７５】
前述のとおり、前記水性ブラックインク全量における前記ブラック染料の配合量は、６重量％〜７．５重量％である。
【００７６】
前記水は、イオン交換水又は純水であることが好ましい。前記水性ブラックインクにおける前記水の配合量は、例えば、他の成分の残部としてもよい。
【００７７】
前記水性ブラックインクは、前記水性イエローインクと同様に、さらに、水溶性有機溶剤及び添加剤を含んでもよい。
【００７８】
前記水性ブラックインクは、例えば、前記ブラック染料及び水と、必要に応じて他の添加成分とを、従来公知の方法で均一に混合し、フィルタ等で不溶解物を除去することにより調製できる。
【００７９】
前記水性インクセットにおいて、前記水性イエローインクの表面張力（Ｙｓｔ）と、前記水性マゼンタインクの表面張力（Ｍｓｔ）と、前記水性シアンインクの表面張力（Ｃｓｔ）と、前記水性ブラックインクの表面張力（Ｋｓｔ）とが、Ｙｓｔ＞Ｃｓｔ＞Ｍｓｔ＞Ｋｓｔを満たすことが好ましい。前記Ｙｓｔ、前記Ｃｓｔ、前記Ｍｓｔ及び前記Ｋｓｔは、それぞれ、２５ｍＮ／ｍ〜３８ｍＮ／ｍであることが好ましく、前記Ｙｓｔと前記Ｃｓｔとの差、前記Ｃｓｔと前記Ｍｓｔとの差及び前記Ｃｓｔと前記Ｋｓｔとの差は、それぞれ、０．２ｍＮ／ｍ〜４ｍＮ／ｍであることが好ましい。前記表面張力は、例えば、２５℃で測定した値である。
【００８０】
前述のとおり、前記水性インクセットは、水性イエローインク、水性マゼンタインク及び水性シアンインクの色相角並びにそれらに含まれる染料の配合量と、水性ブラックインクに含まれる染料の配合量とが所定の範囲内にあることで、例えば、光沢紙への無彩色画像の記録時に、白スジ状のムラ（バンディング）の発生及び粒状感が抑制され、光学濃度が高く、且つ、色味がかった無彩色等となることがない。前記水性インクセットは、光沢紙への記録に好適に用い得るが、例えば、普通紙等の光沢紙以外の記録媒体への記録にも利用可能である。
【００８１】
つぎに、本発明のインクジェット記録装置について説明する。
【００８２】
本発明のインクジェット記録装置は、インクセット収容部と、インク吐出手段と、制御手段と、を含み、前記インクセット収容部に、本発明のインクジェット記録用水性インクセットが収容され、前記水性インクセットを構成する水性インクが、前記インク吐出手段から吐出され、前記制御手段は、無彩色の記録時、下記（１）、（２）及び（３）の条件で、前記インク吐出手段による吐出を制御することを特徴とする。
条件（１）：記録する無彩色の条件を、ＲＧＢ値におけるＲ、Ｇ及びＢの平均値が第１所定値以上とする場合、前記水性イエローインク、前記水性マゼンタインク及び前記水性シアンインクを吐出する。
条件（２）：記録する無彩色の条件を、ＲＧＢ値におけるＲ、Ｇ及びＢの平均値が第２所定値以上第１所定値未満とする場合、前記水性イエローインク、前記水性マゼンタインク、前記水性シアンインク及び前記水性ブラックインクを吐出する。
条件（３）：記録する無彩色の条件を、ＲＧＢ値におけるＲ、Ｇ及びＢの平均値が第２所定値未満とする場合、前記水性ブラックインクを吐出する。
【００８３】
前記ＲＧＢ値におけるＲ、Ｇ及びＢとは、ＲＧＢ色空間の画素値Ｒ、Ｇ及びＢであり、ＲＧＢの各画素値は、例えば、０〜２５５の８ビットの階調値で表される。前記ＲＧＢ値におけるＲ、Ｇ及びＢの平均値とは、例えば、ＲＧＢ（０，０，０）の黒色（ブラック）では、（０＋０＋０）／３＝０であり、ＲＧＢ（６２，６５，６７）の日塗工番号Ｎ−３０では、（６２＋６５＋６７）／３＝６４．７である。
【００８４】
前記第１所定値は、例えば、４８〜４９であり、前記第２所定値は、例えば、０〜１、１である。また、前記条件（１）において、前記ＲＧＢ値におけるＲ、Ｇ及びＢの平均値の上限は、例えば、２５５未満である。
【００８５】
図１に、本発明のインクジェット記録装置の一例の構成を示す。図示のとおり、このインクジェット記録装置１は、４つのインクカートリッジ２と、インク吐出手段（インクジェットヘッド）３と、ヘッドユニット４と、キャリッジ５と、駆動ユニット６と、プラテンローラ７と、パージ装置８とを主要な構成要素として含む。また、図１には示していないが、このインクジェット記録装置１は、適宜の位置に、前記制御手段を有する。
【００８６】
４つのインクカートリッジ２は、イエロー、マゼンタ、シアン及びブラックの４色の水性インクを、それぞれ１色ずつ含む。前記水性イエローインク、前記水性マゼンタインク、前記水性シアンインク及び前記水性ブラックインクが、本発明の水性インクセットを構成する水性イエローインク、水性マゼンタインク、水性シアンインク及び水性ブラックインクである。本例では、４つのインクカートリッジ２のセットを示したが、これに代えて、水性イエローインク収納部、水性マゼンタインク収納部、水性シアンインク収納部及び水性ブラックインク収納部を形成するようにその内部が間仕切りされた一体型のインクカートリッジを用いてもよい。前記インクカートリッジの本体としては、例えば、従来公知のものを使用できる。
【００８７】
ヘッドユニット４に設置されたインクジェットヘッド３は、記録媒体（例えば、光沢紙等の記録用紙）Ｐに記録を行う。キャリッジ５には、４つのインクカートリッジ２及びヘッドユニット４が搭載される。駆動ユニット６は、キャリッジ５を直線方向に往復移動させる。駆動ユニット６としては、例えば、従来公知のものを使用できる（例えば、特開２００８−２４６８２１号公報参照）。プラテンローラ７は、キャリッジ５の往復方向に延び、インクジェットヘッド３と対向して配置されている。
【００８８】
パージ装置８は、インクジェットヘッド３の内部に溜まる気泡等を含んだ不良インクを吸引する。パージ装置８としては、例えば、従来公知のものを使用できる（例えば、特開２００８−２４６８２１号公報参照）。
【００８９】
パージ装置８のプラテンローラ７側には、パージ装置８に隣接してワイパ部材２０が配設されている。ワイパ部材２０は、へら状に形成されており、キャリッジ５の移動に伴って、インクジェットヘッド３のノズル形成面を拭うものである。図１において、キャップ１８は、水性インクの乾燥を防止するため、記録が終了するとリセット位置に戻されるインクジェットヘッド３の複数のノズルを覆うものである。
【００９０】
本例のインクジェット記録装置１においては、４つのインクカートリッジ２は、ヘッドユニット４と共に、１つのキャリッジ５に搭載されている。ただし、本発明は、これに限定されない。インクジェット記録装置１において、４つのインクカートリッジ２の各カートリッジは、ヘッドユニット４とは別のキャリッジに搭載されていてもよい。また、４つのインクカートリッジ２の各カートリッジは、キャリッジ５には搭載されず、インクジェット記録装置１内に配置、固定されていてもよい。これらの態様においては、例えば、４つのインクカートリッジ２の各カートリッジと、キャリッジ５に搭載されたヘッドユニット４とが、チューブ等により連結され、４つのインクカートリッジ２の各カートリッジからヘッドユニット４に前記水性インクが供給される。また、これらの態様においては、４つのインクカートリッジ２に代えて、ボトル形状の４つのインクボトルを用いてもよい。この場合、前記インクボトルには、外部から内部にインクを注入するための注入口が設けられていることが好ましい。
【００９１】
このインクジェット記録装置１を用いたインクジェット記録は、例えば、つぎのようにして実施される。まず、記録用紙（例えば、光沢紙等）Ｐが、インクジェット記録装置１の側方又は下方に設けられた給紙カセット（図示せず）から給紙される。記録用紙Ｐは、インクジェットヘッド３と、プラテンローラ７との間に導入される。導入された記録用紙Ｐに、インクジェットヘッド３から吐出される水性インクにより所定の記録がされる。ここで、無彩色の記録時には、前記制御手段により、前記（１）、（２）及び（３）の条件で、インクジェットヘッド３による吐出を制御する。すなわち、（１）記録する無彩色の条件を、ＲＧＢ値におけるＲ、Ｇ及びＢの平均値が第１所定値以上のより薄い無彩色とする場合は、前記水性イエローインク、前記水性マゼンタインク及び前記水性シアンインクの３色の水性カラーインクを吐出し、（２）記録する無彩色の条件を、ＲＧＢ値におけるＲ、Ｇ及びＢの平均値が第２所定値以上第１所定値未満の中間的な濃さの無彩色とする場合は、前記水性イエローインク、前記水性マゼンタインク、前記水性シアンインク及び前記水性ブラックインクの４色の水性インクを吐出し、（３）記録する無彩色の条件を、ＲＧＢ値におけるＲ、Ｇ及びＢの平均値が第２所定値未満のより濃い無彩色とする場合は、前記水性ブラックインクのみを吐出する。これにより、例えば、光沢紙への無彩色画像の記録時に、白スジ状のムラ（バンディング）の発生及び粒状感が抑制され、光学濃度が高く、且つ、色味がかった無彩色等となることがない。記録後の記録用紙Ｐは、インクジェット記録装置１から排紙される。図１においては、記録用紙Ｐの給紙機構及び排紙機構の図示を省略している。
【００９２】
図１に示す装置では、シリアル型インクジェットヘッドを採用するが、本発明は、これに限定されない。前記インクジェット記録装置は、ライン型インクジェットヘッドを採用する装置であってもよい。
【００９３】
つぎに、本発明のインクジェット記録方法は、記録媒体に水性インクセットを構成する水性インクをインクジェット方式で吐出して記録するインクジェット記録方法であって、前記水性インクセットが、本発明のインクジェット記録用水性インクセットであることを特徴とする。本発明のインクジェット記録方法は、無彩色の記録時、前記（１）、（２）及び（３）の条件で、前記水性インクの吐出を制御する制御工程を含んでもよい。
【００９４】
つぎに、本発明の白スジ状のムラ（バンディング）抑制方法について説明する。本発明の白スジ状のムラ（バンディング）抑制方法は、水性インクセットを用いたインクジェット記録における白スジ状のムラ（バンディング）抑制方法であって、前記水性インクセットが、本発明のインクジェット記録用水性インクセットであることを特徴とする。本発明の白スジ状のムラ（バンディング）抑制方法は、無彩色の記録時、前記（１）、（２）及び（３）の条件で、前記水性インクセットを構成する水性インクの吐出を制御する制御工程を含んでもよい。
【実施例】
【００９５】
つぎに、本発明の実施例について比較例と併せて説明する。なお、本発明は、下記の実施例及び比較例により限定及び制限されない。
【００９６】
〔水性インクの調製〕
インク組成（表１〜４）における各成分を、均一に混合した。その後、得られた混合物を、東洋濾紙（株）製の親水性ポリテトラフルオロエチレン（ＰＴＦＥ）タイプメンブレンフィルタ（孔径０．２０μｍ）を用いてろ過することで、表１〜４に示す水性イエローインクＹ１〜Ｙ４及びＹ１ｃ〜Ｙ３ｃ、水性マゼンタインクＭ１〜Ｍ４及びＭ１ｃ〜Ｍ３ｃ、水性シアンインクＣ１〜Ｃ４及びＣ１ｃ〜Ｃ３ｃ、水性ブラックインクＫ１〜Ｋ３、Ｋ１ｃ及びＫ２ｃを得た。なお、表１〜３において、各水性インクの色相角は、下記方法により求めた。また、表２において、染料（１−１）は、式（１−１）で表される化合物を示す。
【００９７】
（色相角の求め方）
各水性インクについて、それぞれ、セル長１０ｍｍで純水をリファレンスとして（株）島津製作所製の分光光度計ＵＶ３６００を用いて色測定を行い、Ｌ＊値、ａ＊値及びｂ＊値を求めた。これらの数値は、１９７６年に国際照明委員会（ＣＩＥ）で規格化されたＬ＊ａ＊ｂ＊表色系（ＣＩＥ１９７６（Ｌ＊ａ＊ｂ＊）表色系）に基づくものである（ＪＩＳ  Ｚ  ８７２９参照）。このａ＊値及びｂ＊値から、前述の色相角の定義式により、色相角を求めた。
【００９８】
【表１】
2019065182.tif 000008
【００９９】
【表２】
2019065182.tif 000009
【０１００】
【表３】
2019065182.tif 000010
【０１０１】
【表４】
2019065182.tif 000011
【０１０２】
［実施例１〜４及び比較例１〜５］
〔インクジェット記録用水性インクセットの構成〕
表５に示すように、水性イエローインク、水性マゼンタインク、水性シアンインク及び水性ブラックインクを組み合わせて、実施例１〜４及び比較例１〜５のインクジェット記録用水性インクセットを構成した。
【０１０３】
〔インクジェット記録用水性インクセットの評価〕
実施例１〜４及び比較例１〜５の水性インクセットについて、（ａ）白スジ状のムラ（バンディング）評価、（ｂ）粒状感評価、（ｃ）光学濃度（ＯＤ値）評価及び（ｄ）色差（ΔＥ）評価を、下記方法により実施した。
【０１０４】
（ａ）白スジ状のムラ（バンディング）評価
実施例及び比較例の水性インクセットを構成する水性イエローインク、水性マゼンタインク、水性シアンインク及び水性ブラックインクを、それぞれ、ブラザー工業（株）製のインクジェットプリンタ搭載デジタル複合機ＤＣＰ−Ｊ５５２Ｎ用のインクカートリッジに充填した。つぎに、前記インクカートリッジを、前記インクジェットプリンタ搭載デジタル複合機ＤＣＰ−Ｊ５５２Ｎに装着し、ブラザー工業（株）製の写真光沢紙ＢＰ７１Ｇに、下記３つの条件で黒ベタ画像を記録した。前記黒ベタ画像の記録部を目視にて観察し、下記評価基準に従って評価した。
条件（１）：前記水性イエローインク、前記水性マゼンタインク及び前記水性シアンインクを用いて、ＲＧＢ（５０，５０，５０）の黒ベタ画像を記録。
条件（２）：前記水性イエローインク、前記水性マゼンタインク、前記水性シアンインク及び前記水性ブラックインクを用いて、ＲＧＢ（３０，３０，３０）の黒ベタ画像を記録。
条件（３）：前記水性ブラックインクを用いて、ＲＧＢ（０，０，０）の黒ベタ画像を記録。
【０１０５】
白スジ状のムラ（バンディング）評価  評価基準
ＡＡ：条件（１）〜（３）の全てにおいて記録部に白スジ状のムラ（バンディング）が一切観察されなかった
Ａ  ：条件（１）〜（３）のいずれか又は全てにおいて記録部に白スジ状のムラ（バンディング）が僅かに観察された
Ｃ  ：条件（１）〜（３）のいずれか又は全てにおいて記録部に白スジ状のムラ（バンディング）が顕著に観察された
【０１０６】
（ｂ）粒状感評価
実施例及び比較例の水性インクセットを構成する水性イエローインク、水性マゼンタインク、水性シアンインク及び水性ブラックインクを、それぞれ、前記インクジェットプリンタ搭載デジタル複合機ＤＣＰ−Ｊ５５２Ｎ用のインクカートリッジに充填した。つぎに、前記インクカートリッジを、前記インクジェットプリンタ搭載デジタル複合機ＤＣＰ−Ｊ５５２Ｎに装着し、前記写真光沢紙ＢＰ７１Ｇに、前記４色の水性インクのうちの、（１）水性イエローインク、水性マゼンタインク及び水性シアンインク、（２）水性イエローインク、水性マゼンタインク、水性シアンインク及び水性ブラックインク、（３）水性ブラックインク、を１００％ｄｕｔｙで構成するベタ画像から０％ｄｕｔｙまでを２５６階調で分割したグラデーションパターン（すなわち、ブラックからホワイトの２５６階調のグラデーションパターン）を記録した。前記（１）〜（３）のグラデーションパターンを目視にて観察し、下記評価基準に従って評価した。
【０１０７】
粒状感評価  評価基準
ＡＡ：（１）〜（３）の全てのグラデーションパターンにおいてドットが殆どわからなかった
Ａ  ：（１）〜（３）のいずれか又は全てのグラデーションパターンにおいてドットが若干わかった
Ｃ  ：（１）〜（３）のいずれか又は全てのグラデーションパターンにおいてドットが目立った
【０１０８】
（ｃ）光学濃度（ＯＤ値）評価
前記（ａ）白スジ状のムラ（バンディング）評価と同様にして記録した黒ベタ画像中の３箇所の光学濃度（ＯＤ値）を、Ｘ−Ｒｉｔｅ社製の分光測色計ＳｐｅｃｔｒｏＥｙｅ（光源：Ｄ５０、視野角：２°、ＡＮＳＩ−Ｔ）により測定し、平均値を求め、下記評価基準に従って評価した。
【０１０９】
光学濃度（ＯＤ値）評価  評価基準
ＡＡ：光学濃度（ＯＤ値）が、２．２以上
Ａ  ：光学濃度（ＯＤ値）が、２．０以上２．２未満
Ｃ  ：光学濃度（ＯＤ値）が、２．０未満
【０１１０】
（ｄ）色差（ΔＥ）評価
前記（ａ）白スジ状のムラ（バンディング）評価と同様にして記録した黒ベタ画像中の３箇所のＬ＊値、ａ＊値及びｂ＊値を、前記分光測色計ＳｐｅｃｔｒｏＥｙｅ（光源：Ｄ５０、視野角：２°、ＡＮＳＩ−Ｔ）により測定し、平均値を求めた。ついで、色差ΔＥを、下記式により算出して、下記評価基準に従って評価した。
色差ΔＥ＝（Ｌ＊２＋ａ＊２＋ｂ＊２）０．５
【０１１１】
色差（ΔＥ）評価  評価基準
ＡＡ：条件（１）〜（３）の全てにおいて色差（ΔＥ）が、３．０未満
Ａ  ：条件（１）〜（３）のいずれか又は全てにおいて色差（ΔＥ）が、３．０以上５．０未満
Ｃ  ：条件（１）〜（３）のいずれか又は全てにおいて色差（ΔＥ）が、５．０以上
【０１１２】
実施例１〜４及び比較例１〜５の水性インクセットの構成及び評価結果を、表５に示す。
【０１１３】
【表５】
2019065182.tif 000012
【０１１４】
表５に示すとおり、実施例１〜４では、白スジ状のムラ（バンディング）、粒状感、光学濃度（ＯＤ値）及び色差（ΔＥ）の全ての評価結果が良好であった。一方、水性ブラックインク全量におけるブラック染料の配合量が５．５重量％である比較例１の水性インクセットでは、光学濃度（ＯＤ値）の評価結果が悪かった。また、水性ブラックインク全量におけるブラック染料の配合量が８．０重量％である比較例２の水性インクセットでは、白スジ状のムラ（バンディング）の評価結果が悪かった。そして、水性イエローインク全量におけるイエロー染料の配合量、水性マゼンタインク全量におけるマゼンタ染料の配合量、水性シアンインク全量におけるシアン染料の配合量が、それぞれ、１．５重量％である比較例３でも、白スジ状のムラ（バンディング）の評価結果が悪かった。さらに、水性イエローインク全量におけるイエロー染料の配合量、水性マゼンタインク全量におけるマゼンタ染料の配合量、水性シアンインク全量におけるシアン染料の配合量が、それぞれ、３．５重量％である比較例４の水性インクセットでは、粒状感の評価結果が悪かった。さらに、水性イエローインクの色相角、水性マゼンタインクの色相角及び水性シアンインクの色相角が、それぞれ、１０５°、３２３°及び２６７°である比較例５の水性インクセットでは、色差（ΔＥ）の評価結果が悪かった。
【産業上の利用可能性】
【０１１５】
以上のように、本発明の水性インクセットは、例えば、光沢紙への無彩色画像の記録時に、白スジ状のムラ（バンディング）の発生及び粒状感が抑制され、光学濃度が高く、且つ、色味がかった無彩色等となることのないものである。本発明の水性インクセットの用途は、特に限定されず、各種のインクジェット記録に広く適用可能である。
【符号の説明】
【０１１６】
１          インクジェット記録装置
２          インクカートリッジ
３          インク吐出手段（インクジェットヘッド）
４          ヘッドユニット
５          キャリッジ
６          駆動ユニット
７          プラテンローラ
８          パージ装置
【図１】
2019065182.tif 000014